(57)【要約】【課題】ケーシング内の状態を確認し、内部に溜まったキリコを外部へ排出する。【解決手段】分水栓取付装置を使用して、水道管などの流体管Ａに分岐口Ｃを穿孔し、その分岐口Ｃに分水栓２０を取り付ける際に、その分水栓取付装置と流体管Ａとの間に介在して取り付け、その流体管Ａと分水栓取付装置とを連通・遮断するシャッタ装置１において、そのシャッタ装置１のシャッタ板６を進退させるねじ軸８を収納したケーシング５に監視窓９を設ける。そのシャッタ板６に開度指示部材１５を設けて監視窓９から確認できるようにし、ケーシング５の下部には排水バルブＶを設ける。監視窓９から開度指示部材１５の位置を確認することにより、シャッタ板６の位置を把握でき、また、監視窓９からケーシング５内へのキリコの侵入状態を確認できるので、キリコでねじ軸８を傷めない。キリコが溜まった場合は、バルブＶの開放により、そのキリコを内部の水とともに外部へ排出できる。【選択図】  図１
2004176476.tif 000002
【特許請求の範囲】
【請求項１】
水道管などの流体管Ａに分岐口Ｃを穿孔し、その分岐口Ｃに分水栓２０を取り付ける際に使用する分水栓取付用シャッタ装置１において、
上記シャッタ装置１は、ケーシング５内のシャッタ板６をねじ軸８で進退させて、分水栓取付装置と上記流体管Ａの分岐口部分とを連通・遮断するものであり、前記ケーシング５内において、前記分岐口部分と連通するシャッタ室４と、前記シャッタ板６及びねじ軸８を収納するシャッタ板駆動部２との間に、フィルタＤを設けたことを特徴とする分水栓取付用シャッタ装置。
【請求項２】
水道管などの流体管Ａに分岐口Ｃを穿孔し、その分岐口Ｃに分水栓２０を取り付ける際に使用する分水栓取付用シャッタ装置１において、
上記シャッタ装置１は、ケーシング５内のシャッタ板６をねじ軸８で進退させて、分水栓取付装置と上記流体管Ａの分岐口部分とを連通・遮断するものであり、前記ケーシング５内において、前記シャッタ板６及びねじ軸８を収納するシャッタ板駆動部２に、監視窓９を形成したことを特徴とする分水栓取付用シャッタ装置。
【請求項３】
前記シャッタ板６は、そのシャッタ板６と一体的に移動する開度指示部材１５を有し、その開度指示部材１５が前記監視窓９内に設けられていることを特徴とする請求項３に記載の分水栓取付用シャッタ装置。
【請求項４】
水道管などの流体管Ａに分岐口Ｃを穿孔し、その分岐口Ｃに分水栓２０を取り付ける際に使用する分水栓取付用シャッタ装置１において、
上記シャッタ装置１は、ケーシング５内のシャッタ板６をねじ軸８で進退させて、分水栓取付装置と上記流体管Ａの分岐口部分とを連通・遮断するものであり、前記ケーシング５内において、前記シャッタ板６及びねじ軸８を収納するシャッタ板駆動部２に、排水バルブＶを設けたことを特徴とする分水栓取付用シャッタ装置。
【発明の詳細な説明】
【０００１】
【発明の属する技術分野】
この発明は、流体管に分岐口を穿孔し、その分岐口にパッキンを介して分水栓を取り付ける際に使われるシャッタ装置に関するものである。
【０００２】
【従来の技術】
既設の水道管に分水栓を新たに設ける一般的な方法は、分水栓取付装置を用いて水道管に分岐口を穿孔し、その分岐口にパッキンを介して分水栓を嵌め込み固定する。このとき、水道管には水が流れているため、その分岐口からの噴水を止めつつ、各作業を行う必要がある。その噴水を止める装置として、シャッタ装置を用いている。
【０００３】
従来の分水栓取付装置は、例えば、特許文献１等に開示され、この分水栓の取付装置は、図５及び図６に示すように、流体管Ａ上面を穿孔して分岐口Ｃを設ける穿孔機（図示せず）と、その穿孔した分岐口Ｃに分水栓２０を取り付けて固定する拡径機を内装する拡径機駆動部２１、アッパーボディ２２、及び分水栓２０とパッキン２５等を内装するアンダーボディ２３などから構成される拡径装置１０からなる。この拡径装置１０の下部に位置するアンダーボディ２３と流体管Ａの間に介在して、前記分岐口Ｃを連通・遮断するシャッタ板３６を備えたシャッタ装置３０を設けている。
【０００４】
このシャッタ装置３０は、図６に示すように、内部にシャッタ室３４と、前記シャッタ板３６を収納するシャッタ板駆動部３２を有するケーシング３５、及び、そのケーシング３５下部の台座Ｂを支持する鞍３３からなる。このシャッタ装置３０が、図６に示すように、流体管Ａ上部に、流体管Ａの管軸方向に沿って取付られる。
【０００５】
前記穿孔機、又は拡径装置１０を使用する際には、このシャッタ室３４の上部に設けた開口部に、その穿孔機、又は拡径装置１０を取り付ける。
【０００６】
シャッタ室３４と連通するシャッタ板駆動部３２内には、前記シャッタ板３６と、そのシャッタ板３６とのねじ接合３８ａにより、その一端を固定されたねじ軸３８が、前記流体管Ａの管軸方向と平行に収納され、そのねじ軸３８の他端には、傘歯車３９，４１を介して操作軸４０を接続している。
【０００７】
この操作軸４０を回転させることにより、ねじ軸３８が回転し、前記シャッタ板３６が、図中の矢印のように、ケーシング３５内を横切るように、流体管Ａの管軸方向と平行に進退する。
【０００８】
図６に実線で示すシャッタ板３６は、シャッタ室３４と分岐口部分とを遮断した状態を示し、シャッタ板３６が、流体管Ａから分岐口Ｃを通じて、シャッタ室３４内に管路を流れる水等が流入するのを防いでいる。
【０００９】
この装置により、流体管Ａに分水栓２０を取付ける際には、まず、前記流体管Ａの分岐口部分上に、前記台座Ｂを介してシャッタ装置３０を取り付け、このシャッタ装置３０の前記シャッタ室３４の上部開口部に、穿孔機（図示せず）を取り付ける。
【００１０】
前記操作軸４０を回転させることにより、ねじ軸３８を回転させ、シャッタ板３６を図６に破線で示す右方向に水平移動させて、流体管Ａ上面の分岐口部分とシャッタ室３４とを連通させる。
【００１１】
次に、前記穿孔機のドリルを下降させて、流体管Ａ上部に分岐口Ｃを穿孔し、再びドリルを上昇させた後、シャッタ板３６を図中に実線で示す左方向に水平移動させて、シャッタ室３４と前記分岐口部分とを遮断する。
【００１２】
シャッタ室３４を前記分岐口部分から遮断した後、前記穿孔機をシャッタ装置３０から取り外し、前記シャッタ室３４の上部開口部に、図６に示すように、アンダーボディ２３を連結し、その上部に拡径機駆動部２１及びアッパーボディ２２からなる前記拡径装置１０を載せて固定する。このとき、図中に示すように、拡径機駆動部２１及びアッパーボディ２２内に収納された前記拡径機のメインシャフト２４の下部を、前記アンダーボディ２３内に突出させ、そのアンダーボディ２３に収納された分水栓２０の縦貫通穴に差し込んで装着するとともに、メインシャフト２４先端のパッキン保持部２４ａに環状のパッキン２５を装着して、前記分水栓２０が落下するのを押さえる。
【００１３】
シャッター板３６を、再度図６に破線で示す右方向に水平移動させて、前記分岐口部分とシャッタ室３４を連通させた状態で、ハンドル２４ｂを操作し、メインシャフト２４を下げて、パッキン２５を分岐口Ｃに嵌める。さらにメインシャフト２４を下げると、分水栓２０が、分岐口Ｃに嵌まったパッキン２５の位置まで下降し、やがて分水栓２０の貫通穴の下端に取り付けたスリーブ２６が、パッキン２５の上端フランジ部２５ａから下方に向かって差し込まれる。スリーブ２６を分岐口Ｃに挿入し、そのスリーブ２６の下端が流体管Ａ内に突き抜けた状態で、前記メインシャフト２４の下降を停止させる。
【００１４】
次に、この状態でハンドル２７ｂを回転すると、図６に示すメインシャフト２４先端のカール用ローラ２７ａが下方へ飛び出し、前記スリーブ２６の下端に接触する。このとき、拡径機駆動部２１上端に設けた六角２７ｃをラチェットハンドル等で回転させることにより、そのカール用ローラ２７ａが、前記メインシャフト２４の軸周りに３６０°回転し、前記突出したスリーブ２６の下端を、パッキン２５を抱き込むように、内側から外側に向かってラッパ状に拡径を始め、スリーブ２６先端の外径を、分岐口Ｃの口径よりも大きい拡径部に加工形成する。この加工により、前記スリーブ２６とパッキン２５を固定し、分水栓２０を流体管Ａに取り付ける。
【００１５】
取り付けた分水栓２０の開閉コック２０ｂを、ケーシング３５に設けられた開閉コック１１と連結し、その開閉コック１１を回転させて分水栓の貫通孔を閉鎖する。
【００１６】
最後に、拡径装置１０とシャッタ装置３０を取り外し、流体管Ａに取り付けた分水栓２０の分岐口２０ａに適宜分岐管を接続するとともに、分水栓２０の上部には、キャップ等の閉塞具を取り付けることにより、分水栓の設置を終了する。
【００１７】
なお、同様な分水栓取付装置が、特許文献２に開示されている。
【００１８】
【特許文献１】
特開平１１−１９０４５７号公報
【特許文献２】
特開平９−２１７３９１号公報
【００１９】
【発明が解決しようとする課題】
従来の分水栓の取付用シャッタ装置３０では、穿孔機により流体管Ａに分岐口Ｃを穿孔する際に、その分岐口Ｃから管内の水が噴水のように飛び出して、ケーシング３５内に流入する場合がある。その際、穿孔により流体管Ａから削り出されたキリコ（切り屑）等の異物が水とともにシャッタ板駆動部３２内に侵入し、そのキリコ等がねじ軸３８に付着する。この状態で、ねじ軸３８を回転すると、ねじ結合３８ａのねじ溝にキリコ等が入り込み、前記ねじ結合３８ａを回転不能にすることがある。また、キリコや、そのキリコに発生する錆等が、シャッタ板３６の動きを妨害する場合もある。
【００２０】
そこで、この発明は、シャッタ板の動きを円滑にすることを目的にして、ケーシング内への異物の侵入を減らすことを第一の課題とし、ケーシング内の状態を確認できるようにすることを第二の課題とし、侵入した異物を外部へ排出することを第三の課題とする。
【００２１】
【課題を解決するための手段】
上記の第一課題を解決するために、この発明は、流体管に締結するシャッタ装置のケーシング内において、流体管の分岐口部分と連通するシャッタ室と、シャッタ板及びねじ軸を収納するシャッタ板駆動部との間に、フィルタを設けたものである。
【００２２】
このフィルタを設けることによって、シャッタ板駆動部内にキリコ等の異物が侵入するのを減らすことができる。
【００２３】
また、第二の課題を解決するために、この発明は、前記シャッタ板駆動部に監視窓を設けて、シャッタ板駆動部の内部の状態を、監視窓により外部から確認できるようにしたものである。このようにすれば、監視窓を設ける位置に応じて、その監視窓からシャッタ板の開閉状態や、あるいは、ねじ軸のねじ部への異物の付着状況や、シャッタ板駆動部底部の異物の堆積状態などを視覚的に確認できるので、誤って異物が付着した状態でねじ軸を回転させて、ねじ部を傷めてしまうことがなく、シャッタ装置を長持ちさせることができる。
【００２４】
また、第三の課題を解決するために、この発明は、前記シャッタ板駆動部に排出バルブを設けたものである。このようにすれば、異物が内部に溜まった場合、バルブを開放することにより、その異物を水とともに外部へ排出できる。
【００２５】
上記の３つの課題をそれぞれ解決するための手段は、その一部又はすべてを選択した構成を採用し得るので、目的に応じてその構成を組み合わせ、シャッタ装置のシャッタ板の動きを円滑にすることができる。
【００２６】
【発明の実施の形態】
一実施形態を、図１乃至図４に示し、この実施形態の分水栓の取付用シャッタ装置１は、流体管Ａ上に分岐口Ｃを設ける穿孔機、又はその分岐口Ｃに分水栓２０を固定する拡径装置１０などからなる分水栓取付装置を使用する際に、図２に示すように、前記流体管Ａとその分水栓取付装置との間に介在させて、作業中に分岐口Ｃを通じて前記分水栓取付装置に流体管Ａの水が流入するのを遮断するシャッタ装置１である。
【００２７】
このシャッタ装置１は、図１に示すように、内部にシャッタ室４と前記シャッタ板６及びねじ軸８を収納するシャッタ板駆動部２を有するケーシング５、及び、そのケーシング５下部の台座Ｂを支持する鞍３からなる。このシャッタ装置１が、図中に示すように、流体管Ａ上部に取付られる。
【００２８】
前記シャッタ室４と連通するシャッタ板駆動部２内には、ケーシング５に回転自在に取り付けられたねじ軸８のねじ部８ａに、シャッタ板６がスライダ６ａを介してねじ合って配置されている。
【００２９】
このねじ軸８の他端に取り付けたハンドル７を操作して、ねじ軸８を回転させることにより、前記シャッタ板６が図１に矢印で示す方向に、前記ケーシング５内で進退し、図中に実線で示すように、シャッタ板駆動部２へ後退することにより分岐口Ｃを開放してケーシング５内を上下方向に連通し、破線で示すようにシャッタ室４内へ進行することにより、分岐口Ｃを塞いでケーシング５内を上下方向に遮断する。図中で示す１１は、分水栓２０の開閉用コックである。
【００３０】
シャッタ板駆動部２の入口付近、つまり、流体管Ａの分岐口部分と連通するシャッタ室４と、シャッタ板駆動部２との間に、フェルト等からなるフィルタＤを設けている。図４（ａ）は、このケーシング５の台座Ｂのみを取り外した状態の平面図であり、図４（ｂ）は、そのＡ−Ａ断面の正面図であり、いずれもシャッタ板６を鎖線で示している。フィルタＤが、台座Ｂに設けられたフィルタ用溝Ｅに嵌まって固定され、シャッタ板６の下面に密着している。
【００３１】
シャッタ装置１の上部に穿孔機を取り付け、分岐口Ｃを穿孔すると、流体管Ａから水が噴き出し、流体管Ａを穿孔した際に発生したキリコ等の異物が水とともにケーシング５のシャッタ室４内に流入する。
【００３２】
このとき、フィルタＤを設けているので、このフィルタＤがシャッタ板６に密着してシャッタ板６とケーシング５内壁との隙間を小さくし、シャッタ室４側からシャッタ板駆動部２内へ水が透過する際に、キリコ等の異物をシャッタ板駆動部２に侵入しにくくする。
【００３３】
このフィルタＤを構成する素材には、流体が透過することが可能な任意のものが使用でき、フェルトには限定されない。
【００３４】
このケーシング５には、図３に示すように、シャッタ板駆動部２の内部が見える位置に監視窓９が設けられている。この実施形態の監視窓９は、ケーシング５のシャッタ板駆動部２に設けた開口の周囲に窓座２ａを設け、その窓座２ａ上にパッキン１２を介してガラスなどの透明部材１３を配置し、前記シャッタ板６の進退方向に長い切り欠き（開口）を有する窓枠１４を載せて、その上部から押さえるように、窓座２ａと窓枠１４とのボルト止め等によりその透明部材１３を固定したものである。
【００３５】
このような監視窓９をシャッタ板駆動部２の必要な場所に設けることにより、そのシャッタ板駆動部２内部の必要な情報を視覚的に確認することができる。例えば、図３に示すように、監視窓９を、シャッタ板駆動部２の上面のねじ軸８に平行な位置に設ければ、監視窓９からシャッタ板駆動部２の底部Ｈが見えるので、その底部Ｈへの異物の堆積状態などを確認できる。
【００３６】
このとき、シャッタ板６に、そのシャッタ板６と一体的に移動する開度指示部材１５を設け、その開度指示部材１５を、図３に示すように、前記監視窓９内に設ければ、その監視窓９を構成する前記開口において、シャッタ板６の進退により、その指示部材１５が監視窓９内に外部から見える範囲で往復する。このようにすれば、監視窓９内に見える開度指示部材１５の位置から、シャッタ板６の位置が間接的に把握できる。
【００３７】
なお、開度指示部材１５は、監視窓９の設置位置に合わせてその位置、形状を変えることができるので、監視窓９の設置位置はいずれの場所でもよい。
【００３８】
また、前記監視窓９内に開度指示部材１５を設ける際には、例えば、その開度指示部材１５を突出させてピン形状とし、その部材１５が監視窓９を構成する前記シャッタ板駆動部２の開口に嵌まって誘導されながら、その監視窓９内を往復するように設けた構造としてもよい。あるいは、開度指示部材１５の形状を問わず、その部材１５を、シャッタ板駆動部２内の前記監視窓９の近傍において、その部材１５が外部から見える範囲に位置するように設けた構造としてもよい。
【００３９】
また、この実施形態以外にも、監視窓９をねじ軸８の真上や側方に設ければ、ねじ部８ａが監視窓９を通じて外部から見えるので、そのねじ部８ａに付着したキリコ等の状況が確認しやすい。また前記シャッタ板６も監視窓９を通じて直接見えるので、その開閉状態が直接的に把握でき便利である。
【００４０】
このように、監視窓９を設ける位置は、その目的に応じて自由に設定できるので、図３に示すようなシャッタ板駆動部２上面に限られず、また取り付け数にも制限はない。また監視窓９の形状（前記シャッタ板駆動部２や、窓枠１４の開口形状）も自由である。
【００４１】
さらに、このケーシング５には、ねじ軸８が収納されているシャッタ板駆動部２の下部に、図２に示すように、ケーシング５内部と外部とを連通し、内部の水を排出できる排出孔と、その排出孔を塞いで開閉自在とするプラグとからなる排出バルブＶを設けている。このようにすれば、キリコ等が内部に侵入して特に底部Ｈなどに溜まった場合に、その排出バルブＶを開放することにより、そのキリコを内部の水とともに外部へ排出できるので、清掃が容易である。
【００４２】
上記のように、排出バルブＶを設けることにより、ケーシング５のシャッタ板駆動部２内の清掃が容易になるので、監視窓９からねじ軸８等の状況を確認することにより、その排出バルブＶの開閉のタイミングを判断し、頻繁に、また適時に、シャッタ板駆動部２内の清掃を行うことができる。
【００４３】
また、前述のように、シャッタ板駆動部２の入口付近に前記フィルタＤを設けた場合、シャッタ板駆動部２内へのキリコ等の侵入を少なくすることができるが、このとき、そのキリコ等のうち極細かい粒は、なお、フィルタＤを透過してシャッタ板駆動部２内に侵入する。このため、フィルタＤを設けた構成においても、前記監視窓９及びこの排出バルブＶを設けることが望ましい。
【００４４】
さらに、そのフィルタＤにおいて、シャッタ室４側表面に付着したキリコ等は、通常、図１に示す開閉バルブ１６を開けることにより、シャッタ室４側からケーシング５外へ排出される。しかし、フィルタＤの内部に入り込み、かつそのフィルタＤを透過しないキリコ等は、除去されず、分水栓の取り付け作業を繰り返すうちにフィルタＤ内に蓄積され、異物の侵入を防ぐフィルタの機能が阻害される。また、そのフィルタＤを透過してシャッタ板駆動部２の底部Ｈに堆積したキリコ等も、作業を繰り返すうちにわずかずつ増加していく傾向がある。
【００４５】
そこで、前記開閉バルブ１６を閉めてケーシング５内に水を流入させ、予めケーシング５内の水圧を高めておけば、排出バルブＶを開くことによりフィルタＤに高流速の水が通過するので、フィルタＤの内部に入り込んだキリコ等や、底部Ｈに堆積したキリコ等は、水とともに効率良く外部へ排出される。
【００４６】
上記の実施形態において、より装置の簡略化を求める場合には、装置の目的や使用状況、その他必要に応じて前記フィルタＤ、監視窓９、排出バルブＶのいずれかを省略した構造も採用し得る。
【００４７】
なお、このシャッタ装置１を用いた際の、前記穿孔機、拡径装置１０などの分水栓取付装置の作用は、特許文献１及び特許文献２のものと同様である。
【００４８】
【発明の効果】
この発明は、以上のように、ケーシング内への異物の侵入を減らすとともに、そのケーシング内の状態を確認でき、侵入した異物を外部へ排出できる。
【図面の簡単な説明】
【図１】一実施形態のシャッタ装置の切断正面図
【図２】同実施形態のシャッタ装置を取り付けた分水栓取付装置の切断正面図
【図３】図１において、拡径装置等を除いた平面図
【図４】図１のケーシング５から、台座Ｂのみを取り外した状態の説明図であり、図４（ａ）は平面図、図４（ｂ）はそのＡ−Ａ断面の切断正面図である。
【図５】従来例の分水栓取付装置の正面図
【図６】従来例の分水栓取付装置の切断正面図
【符号の説明】
１，３０  シャッタ装置
２，３２  シャッタ板駆動部
２ａ  窓座
３，３３  鞍
４，３４  シャッタ室
５，３５  ケーシング
６，３６  シャッタ板
７  ハンドル
８  ねじ軸
８ａ  ねじ部
９  監視窓
１０  拡径装置
１２  パッキン
１３  透明部材
１４  窓枠
１５  開度指示部材
１６  開閉バルブ
２０  分水栓
２１  拡径機駆動部
２２  アッパーボディ
２３  アンダーボディ
２４  メインシャフト
Ａ  流体管
Ｂ  台座
Ｃ  分岐口
Ｖ  排出バルブ
【図１】
2004176476.tif 000003
【図２】
2004176476.tif 000004
【図３】
2004176476.tif 000005
【図４】
2004176476.tif 000006
【図５】
2004176476.tif 000007
【図６】
2004176476.tif 000008